(57)【要約】【課題】どの場所でも使用できる上、その天板が広く構成されても、従来よりコンパクトに折り畳むことができて携帯されやすい折り畳み型野球・ソフトボール用具保持具の提供を目的とする。【解決手段】平板体であって、その周面に、該平板体が水平状態になる場合、それぞれでバットをグリップエンド近くから係止することによりぶら提げることができる複数の窪みが設けてある天板１０と、第１支持フレームと第２支持フレームとから、収束されると互いに重なり、展開されると互いに交差してそれらの上端で平板体の天板１０を下方から水平的に保持することができるように枢接される支持ユニット２０と、を備える折り畳み型野球・ソフトボール用具保持具。【選択図】図１
0003151472.tif 000002
【実用新案登録請求の範囲】
【請求項１】
平板体であって、その周面に、該平板体が水平状態になる場合、それぞれでバットをグリップエンド近くから係止することによりぶら提げることができる複数の窪みが設けてある天板と、
第１支持フレームと第２支持フレームとから、収束されると互いに重なり、展開されると互いに交差してそれらの上端で前記の平板体の天板を下方から水平的に保持することができるように枢接される支持ユニットと、を備えており、
前記第１支持フレームは、一対の第１支持部材からなっており、
前記第２支持フレームは、一対の第２支持部材からなる上、それぞれが前記一対の第１支持部材における隣接の一つと枢接になっており、
また、前記天板は、
前記支持ユニットが展開された場合、前記第１支持フレームにおける一対の第１支持部材の一対の上端と前記第２支持フレームにおける一対の第２支持部材の一対の上端とに水平的に支持される上、前記複数の窪みにより複数のバットをぶら提げるように保持することができ、
且つ、前記支持ユニットが収束された場合、回転されて前記支持ユニットの側方に収めることができるように構成されていることを特徴とする折り畳み型野球・ソフトボール用具保持具。
【請求項２】
前記天板は、前記平板体が水平状態になる場合、それぞれでボールを下から保持できる複数の穴手段が設けてあることを特徴とする請求項１に記載の折り畳み型野球・ソフトボール用具保持具。
【請求項３】
前記天板は、
第１保持板と第２保持板とから互いに分離できるように組み合わせられており、
且つ、前記天板と前記支持ユニットとは、
前記支持ユニットが収束された場合、前記天板の第１保持板と第２保持板とが互いに分離される上、それぞれ回転されて前記第１支持フレームと前記第２支持フレームとが互いに重なった前記支持ユニットの両側に収めることができるように構成されていることを特徴とする請求項１又は請求項２に記載の折り畳み型野球・ソフトボール用具保持具。
【請求項４】
前記第１支持フレームにおける一対の第１支持部材は、それらの上端に枢接されている一対の第１枢接機構を介して前記第１保持板の下面に枢接されおり、
前記第２支持フレームにおける一対の第２支持部材は、それらの上端に枢接されている一対の第２枢接機構を介して前記第２保持板の下面に枢接されており、
また、前記第１枢接機構も、前記第２枢接機構も、いずれもリンクであって、互いに平行になっていることを特徴とする請求項３に記載の折り畳み型野球・ソフトボール用具保持具。
【請求項５】
前記第１保持板及び前記第２保持板は、それぞれ長方形板体であって、それらの互いに臨んでいる側面には、それぞれ互いに噛み合える雄部材と雌部材との一方を有することを特徴とする請求項３又は請求項４に記載の折り畳み型野球・ソフトボール用具保持具。
【請求項６】
前記第１支持フレームにおける一対の第１支持部材は、互いに並設されており、
前記第２支持フレームにおける一対の第２支持部材は、前記一対の第１支持部材を両側から挟むように並設されていることを特徴とする請求項１〜請求項５のいずれか一項に記載の折り畳み型野球・ソフトボール用具保持具。
【請求項７】
前記第２支持部材の一つの、外に向かっている側面には、更にベルトが付いていることを特徴とする請求項６に記載の折り畳み型野球・ソフトボール用具保持具。
【請求項８】
前記第１支持フレームと前記第２支持フレームとは、互いに重なると、それぞれに設けてある雄部材と雌部材との一方で互いに噛み合うように仮固定されることができるように構成されていることを特徴とする請求項１〜請求項７のいずれか一項に記載の折り畳み型野球・ソフトボール用具保持具。
【考案の詳細な説明】
【技術分野】
【０００１】
本考案は、野球・ソフトボール用具保持具に関し、特にバットやボールを保持する折り畳み型野球・ソフトボール用具保持具に関するものである。
【背景技術】
【０００２】
野球やソフトボールは、必ずしも完備な設備が揃っている場所で練習や試合をしない。特にバットやボールを保持する保持具がない場合、バットやボールが通常地面に散らかっていて、選手を躓かせたり転ばせたりし、怪我をもたらすことが時々ある。
このような問題を解決するために、下記特許文献１は、バット５をグリップエンド近くから係止することによりぶら提げることができるホルダー４が枢支されている天板３と、天板３を下から支持している支持部材１と、該支持部材１に収束できるように枢支されていて、展開されると該支持部材１を直立に保持できる脚部２とからなっている野球・ソフトボール用具保持具を開示している（図５参照）。
【０００３】
しかし、前記従来の野球・ソフトボール用具保持具では、図５に示すように、その支持部材１が、ポスト一本から構成されているため、ポスト一本で支持できる天板３は面積が小さくて、ホルダー４が少数となり、保持できるバット５が少なくなる。
また、前記従来の野球・ソフトボール用具保持具では、収束され得るのが、天板１に枢支されているホルダー４及び支持部材１に枢支されている脚部２だけであり、前記欠点を解消するために前記天板を広くさせても、コンパクトに収束されず、携帯に不便である。
因みに、球場の周りにあるフェンスに掛けられる、図６の簡易型野球・ソフトボールバット保持具６も提案されている（特許文献２参照）が、その使用は、フェンスのある場所に限られているので、本考案の目的とは異なっている。
【先行技術文献】
【特許文献】
【０００４】
【特許文献１】台湾実用新案第２８３３５５号
【特許文献２】米国登録意匠第Ｄ４９３０５６Ｓ号
【考案の概要】
【考案が解決しようとする課題】
【０００５】
前記従来の保持具の欠点を改善するために、本考案は、どの場所でも使用できる上、バットやボールなどの用具を従来より多く保持でき、且つ、収束される時、従来よりコンパクトに折り畳むことができて、携帯されやすい折り畳み型野球・ソフトボール用具保持具を提供することを目的とする。
【課題を解決するための手段】
【０００６】
前記目的を達成するために、本考案は、平板体であって、その周面に、該平板体が水平状態になる場合、それぞれでバットをグリップエンド近くから係止することにより、ぶら提げることができる複数の窪みが設けてある天板と、第１支持フレームと第２支持フレームとから、収束されると互いに重なり、展開されると互いに交差してそれらの上端で前記の平板体の天板を下方から水平的に保持することができるように枢接される支持ユニットと、を備えており、前記第１支持フレームは、一対の第１支持部材からなっており、前記第２支持フレームは、一対の第２支持部材からなる上、それぞれが前記一対の第１支持部材における隣接の一つと枢接になっており、また、前記天板は、前記支持ユニットが展開された場合、前記第１支持フレームにおける一対の第１支持部材の一対の上端と前記第２支持フレームにおける一対の第２支持部材の一対の上端とに水平的に支持される上、前記複数の窪みにより複数のバットをぶら提げるように保持することができ、且つ、前記支持ユニットが収束された場合、回転されて前記支持ユニットの側方に収めることができるように構成されている折り畳み型野球・ソフトボール用具保持具を提供する。
【考案の効果】
【０００７】
本考案の保持具は、支持ユニットが設けてあるので、どの場所でも使用され、また、その支持ユニットが、前記従来例のポスト型（図５における支持部材１参照）でなく、第１支持フレームと第２支持フレームとから、展開されると互いに交差してそれらの上端で前記の天板を下方から水平的に保持することができるように枢接されているので、従来より遥かに広く、バットをより多くぶら提げることができる天板を提供することができる。
また、本考案の保持具は、前記天板が、第１保持板と第２保持板とから互いに分離できるように組み合わせられており、且つ、前記天板と前記支持ユニットとが、前記支持ユニットが収束された場合、前記天板の第１保持板と第２保持板とが互いに分離される上、それぞれ回転されて前記第１支持フレームと前記第２支持フレームとが互いに重なった前記支持ユニットの両側に収めることができるように構成されており、特に、前記第１支持フレームにおける一対の第１支持部材が、それらの上端に枢接されている一対の第１枢接機構を介して前記第１保持板の下面に枢接されおり、前記第２支持フレームにおける一対の第２支持部材が、それらの上端に枢接されている一対の第２枢接機構を介して前記第２保持板の下面に枢接されており、また、前記第１枢接機構も、前記第２枢接機構も、いずれもリンクであって、互いに平行になっておれば、その天板が、前記のように、従来より遥かに広くなっても、コンパクトに折り畳むことができるため、携帯されやすい。
【図面の簡単な説明】
【０００８】
【図１】本考案の一実施形態である折り畳み型野球・ソフトボール用具保持具の分解図である。
【図２】折り畳み型野球・ソフトボール用具保持具全体の展開された状態を示す図面である。
【図３】折り畳み型野球・ソフトボール用具保持具全体の展開された状態から折り畳んだ状態への変更を示す図面である。
【図４】折り畳み型野球・ソフトボール用具保持具全体の折り畳んだ状態を示す図面である。
【図５】従来の野球・ソフトボール用具保持具の概略図である。
【図６】従来の簡易型野球・ソフトボールバット保持具の概略図である。
【考案を実施するための形態】
【０００９】
図１〜図４に示されているのは、本考案の折り畳み型野球・ソフトボール用具保持具の実施例である。この実施例は、図示のように、天板１０と、該天板１０を支持することができる支持ユニット２０と、を備えている。
そのうち、天板１０は、第１保持板１１と第２保持板１２とから互いに分離できるように組み合わせられている平板体であって、その周面１１３、１１５、１２３，１２５に、該平板体が水平状態になる場合、それぞれでバットをグリップエンド近くから係止することにより、ぶら提げることができる複数の窪み１１６、１２６と、前記天板１０の上面１１１、１２１に、該平板体が水平状態になる場合、それぞれでボールを下から保持できる複数の穴手段１１７、１２７と、が設けてある。
【００１０】
支持ユニット２０は、第１支持フレームと第２支持フレームとから、収束されると互いに重なり、展開されると互いに交差してＸ型になる上、それらの上端で前記の平板体の天板１０を下方から水平的に保持することができるように枢接されている。
詳しく言えば、第１支持フレームは、一対の第１支持部材２１から、互いに並設され、且つ、それらの上端２１１に枢接されている一対の第１枢接機構２３、２３を介して第１保持板１１の下面に枢接されており、第２支持フレームは、一対の第２支持部材２２から、一対の第１支持部材２１を両側から挟むように並設され、且つ、それぞれが一対の第１支持部材２１における隣接の一つと枢接になる上、それらの上端２２１に枢支されている一対の第２枢接機構２４，２４を介して第２保持板１２の下面に枢接されている。また、図示のように、第１枢接機構２３，２３も、第２枢接機構２４，２４も、いずれもリンクであって、互いに平行になっている。
【００１１】
前記構成による保持具は、支持ユニット２０が展開された場合、図２のように、天板１０が平板体の状態で支持ユニット２０に水平的に支持され、窪み１１６、１２６による係止により複数のバットをぶら提げるように保持することができ、また、支持ユニット２０が収束された場合、図３のように、第１保持板１１と第２保持板１２とが互いに分離され、第１保持板１１が左に、第２保持板１２が右にそれぞれ回転されて第１支持フレームと第２支持フレームとが互いに重なった支持ユニット２０の両側に収められ、コンパクトにすることができる（図４参照）。そのため、本考案の折り畳み型野球・ソフトボール用具保持具は、コンパクトに折り畳むことができる。
【００１２】
次に、天板１０の第１保持板１１と第２保持板１２との互いに分離できるように組み合わせられていることについては、以下のように説明する。図１及び図２に示すように、支持ユニット２０の第１支持フレームと第２支持フレームとが、互いに交差してＸ型になるように展開される上、それらの上端で前記平板体の天板１０を下方から水平的に保持した場合の第１保持板１１と第２保持板１２との、互いに臨んでいる側面１１４、１２４には、それぞれ互いに噛み合える雄部材１２８と雌部材１１８との一方を一対有する。図面を詳しくみると、一対の雌部材１１８、１１８は、第１保持板１１の側面１１４に形成されており、一対の雄部材１２８、１２８は、それぞれ第２保持板１２の側面１２４の、該対の雌部材１１８と対応する位置に形成されている。本実施例の保持具全体が展開された場合、第１保持板１１にある一対の雌部材１１８、１１８と第２保持板１２にある一対の雄部材１２８、１２８とは、互いに噛み合って第１保持板１１と第２保持板１２とを一体的な平板体のように仮固定して野球・ソフトボール用具をより確実に保持することができる。その上、本考案の保持具は、第１支持フレームと第２支持フレームとの、互いに交差してＸ型になるように展開されることによって立つことができるので、野球・ソフトボール用具を保持する天板１０が、周りの施設と合わせる必要がなく、どの場所でも使用できる。また、支持ユニット２０の第１支持フレームと第２支持フレームとは互いに重なると、それぞれに設けてある雄部材と雌部材との一方で互いに噛み合って仮固定することができる。
【００１３】
そしてまた、図示のように、一対の雄部材２１２が、第１支持フレームにおける一対の第１支持部材２１の、外に向かっている側面２１３に形成されており、一対の雌部材２２２が、第２支持フレームにおける一対の第２支持部材２２の、内に向かっている側面２２３の、該対の雄部材２１２と対応する位置に形成されているので、この実施例の保持具は、その全体が折り畳まれた場合、第１支持部材２１にある一対の雄部材２１２と第２支持部材２２にある一対の雌部材２２２とが互いに噛み合って第１支持部材２１と第２支持部材２２とを仮固定し、搬送中においてもコンパクトに折り畳むことができ、しっかりと保持することができる。
【００１４】
また、図示のように、第２支持部材２２の一つの、外に向かっている側面２２４には、更に、必要に応じて長さを調節することができるベルト３０が付いている。このベルト３０は、手で本実施例の保持具をぶら提げて運搬するものである。
【産業上の利用可能性】
【００１５】
上記のように、本考案の折り畳み型野球・ソフトボール用具保持具は、どの場所でも使用できる上、その天板が広く構成されても、従来よりコンパクトに折り畳むことができるので、携帯されやすい。
一方、本明細書内で本考案を前記実施例によって記述したが、当業者ならば、添付の実用新案請求の範囲に開示した本考案の範疇及び思想から外れずに、多くの変形及び修正がなされ得ることがわかるはずである。
【符号の説明】
【００１６】
１  支持部材
２  脚部
３  天板
４  ホルダー
５  バット
６  簡易型野球・ソフトボールバット保持具
１０  天板
１１  第１保持板
１２  第２保持板
１１１、１２１  上面
１１２、１２２  下面
１１３、１１５、１２３，１２５  周面
１１４、１２４  側面
１１６、１２６  窪み
１１７、１２７  穴手段
１１８  雌部材
１２８  雄部材
２０  支持ユニット
２１  第１支持部材
２２  第２支持部材
２１１、２２１  上端
２１２  雄部材
２２２  雌部材
２１３、２２３  側面
２２４  側面
２３  第１枢接機構
２４  第２枢接機構
３０  ベルト
【図１】
0003151472.tif 000003
【図２】
0003151472.tif 000004
【図３】
0003151472.tif 000005
【図４】
0003151472.tif 000006
【図５】
0003151472.tif 000007
【図６】
0003151472.tif 000008